(57)【特許請求の範囲】
【請求項１】
軸筒と、
前記軸筒内に収容される複数の筆記芯と、
前記筆記芯の後端に接続し、前記軸筒の軸心に沿って摺動自在に設けられ、前記軸筒内に設けられた弾発部材により後方に付勢され、押圧操作により筆記可能状態と解除状態とを切替可能に構成されるノック部材と、
前記軸筒に形成され、前記ノック部材を押圧するための操作片が突出する窓部と、
可撓性を有する材料により形成され、前記筆記芯の解除状態において前記ノック部材の後端と当接可能に形成されるとともに、前記軸筒の軸心方向にスリットが形成された壁部と、
を有することを特徴とする多芯筆記具。
【請求項２】
前記壁部が前記窓部の後端に形成されたことを特徴とする請求項１記載の多芯筆記具。
【請求項３】
前記ノック部材の本体部から前記操作片に至る稜線部の前部、後部又は前後部共に横断面形状端部が曲線状に形成されていることを特徴とする請求項１又は２記載の多芯筆記具。
【発明の詳細な説明】
【技術分野】
【０００１】
本発明は、多芯筆記具に関する。さらに詳細には、ノック部材が接続された複数の筆記芯が設けられ、一方のノック部材を押圧操作するとペン先が突出し、他方のノック部材を押圧操作すると一方のノック部材が解除される多芯筆記具に関する。
【背景技術】
【０００２】
従来から、ノック部材が接続された複数の筆記芯を有する多芯筆記具において、ユーザーが好みのノック部材付きの筆記芯を選択し、任意に多芯筆記具を構成する多芯筆記具が開示されている。この場合、筆記芯はインク色や筆記具の種類（ボールペンやシャープペン等）を複数用意し、ユーザーはその中から２以上の筆記芯を選択して多芯筆記具を構成する。
【０００３】
特許文献１に開示される多芯筆記具では、ノック部材（操作体７）の押圧操作部（操作部７１）が外方に突出する窓部（窓孔４１）を、軸筒（後軸４）の後端まで開口する（開口部４２）とともに、この開口された後端を閉塞する蓋部（５）がヒンジ部（５２）により開閉可能に形成されている構成が開示されている。ユーザーは、ノック部材（操作体７）が接続された筆記芯（筆記体６）を任意に選択し、蓋部（５）を開いた状態にして選択した筆記芯（筆記体６）を軸筒（後軸４）の後端の開口部（４２）から挿入する。挿入後、蓋部（５）を閉じて多芯筆記具は構成される。
【０００４】
なお、ノック部材（操作体７）は後方へ付勢されるとともに、ノック部材（操作体７）の後端は蓋部（５）と当接可能に形成されている。
【先行技術文献】
【特許文献】
【０００５】
【特許文献１】特開２００７−３８６３５
【発明の概要】
【発明が解決しようとする課題】
【０００６】
上述の多芯筆記具おいては、筆記芯の挿入・取出しに蓋部の開閉が必要なため、蓋部の閉め忘れ、または不完全な閉塞操作により、一方の筆記芯の解除操作時に筆記芯がコイルバネの付勢力により後方に移動した際に、軸筒から飛び出す等の不具合が発生する。また、多芯筆記具の携帯時に蓋部の係合が不意に外れ、蓋部が開き、筆記芯が軸筒後端から飛び出る等の危険もある。さらに、ノック部材の後端を蓋部に当接させているため、一方の筆記芯の解除操作毎にコイルバネの付勢力によりノック部材の後端が蓋部に衝突する。繰り返しのノック部材の蓋部への衝突によっても蓋部が開かないようにするには、蓋部を閉めたときの係合を強くすることが考えられるが、蓋部の係合を強くすると、蓋部が開けにくくなり、甚だ不便になる。一方で、この問題を解決するために、コイルバネの付勢力を弱めることもできる。この場合、ノック部材が完全に後端まで戻らない等の不具合が発生する。近年、ノック部材が接続された筆記芯を有する多芯筆記具においては、ノック部材を直接軸筒の後端壁に当接させることは無く、軸筒内（例えばノック部材のガイド上）に設け、軸筒の後端の破損等を防止している（特開２００９−８２６参照）。
【課題を解決するための手段】
【０００７】
本発明は、軸筒と、前記軸筒内に収容される複数の筆記芯と、前記筆記芯の後端に接続し、前記軸筒の軸心に沿って摺動自在に設けられ、前記軸筒内に設けられた弾発部材により後方に付勢され、押圧操作により筆記可能状態と解除状態とを切替可能に構成されるノック部材と、前記軸筒に形成され、前記ノック部材を押圧するための操作片が突出する窓部と、可撓性を有する材料により形成され、前記筆記芯の解除状態において前記ノック部材の後端と当接可能に形成されるとともに、前記軸筒の軸心方向にスリットが形成された壁部と、を有することを特徴とする多芯筆記具、である。
【発明の効果】
【０００８】
本発明は、多芯筆記具の窓部に、可撓性を有する材料（例えば弾性材料であるエラストマー）により形成され、かつ、軸筒軸心方向にスリットが形成された壁部を設けている。ここで、ノック部材が接続された筆記芯を軸筒後端から窓部に向けて挿入する。すると、ノック部材（具体的にはノック部材から突出する操作片の付け根付近）と壁部が当接する。そこでさらにノック部材を前方に押し込むと、壁部のスリットが押し広げられる。そして、ノック部材が完全に壁部のスリットを通過すると、スリットは壁部を形成する材料の弾性力により閉じられる。
【０００９】
筆記芯を交換する際は、ノック部材を後方へ押し込む（引き抜く）ことにより、壁部のスリットが広げられ、軸筒後端から筆記芯を取り出すことができる。
【００１０】
すなわち、本発明によると、ユーザーが好みの筆記芯を選択して構成することができる多芯筆記具において、軸筒後端に設けられた蓋部の開閉の手間無く筆記芯の挿入操作をすることができる。そして、壁部の弾性力によりスリットが閉じられるので、携帯時等不意に筆記芯が飛び出してしまうことも無い。さらに、ノック部材（筆記芯）の後方への付勢力も、適正に動作するよう設定することができるので、動作上の不具合も発生しない。そのうえさらに、筆記状態の解除時には、ノック部材の後端は弾性材料により形成された壁部に衝突する。よって、衝突による衝撃が吸収され、衝撃音が低減されたり、衝撃に起因する不書き等の不具合（いわゆるバックショック）等の製品不良も防止することができる。
【図面の簡単な説明】
【００１１】
【図１】本発明の第１実施形態に係る多芯筆記具の縦断面図である。解除状態を示している。図４のＩ−Ｉ断面図である。
【図２】筆記可能状態を示す第１実施形態に係る多芯筆記具の縦断面図である。
【図３】図１の多芯筆記具をＡ方向から見た側面図である。
【図４】図１のＩＶ−ＩＶ断面図である。
【図５】第１実施形態におけるノック部材の他例である。（ａ）は側面全体図であり、（ｂ）は、（ａ）の（ｂ）−（ｂ）断面を表した図である。
【図６】図５で示したノック部材の斜視図である。
【図７】第１実施形態における壁部の他例を示す要部拡大側面図である（図３に対応する）。
【図８】さらに、第１実施形態における壁部の他例を示す要部拡大側面図である（図３に対応する）。
【図９】またさらに、第１実施形態における壁部の他例を示す要部拡大側面図である（図３に対応する）。
【発明を実施するための形態】
【００１２】
以下、図面を参照しつつ本発明の実施例について説明する。なお、以下の説明において、前方向は、ペン先側の方向を指す。
【実施例１】
【００１３】
本発明の第１実施形態を図１〜図４に示す。多芯筆記具１は、略円筒状の軸筒２を有し、複数の筆記芯３が内蔵されている。本実施例においては、ボールペン３ａとシャープペンシル３ｂの２種類の筆記芯が内蔵されている。筆記芯３の後端には、それぞれノック部材４（４ａ，４ｂ）が接続されている。本実施例においては、ノック部材４の先端の図示しない嵌合部が、円筒状に形成される筆記芯３の後端の孔に圧入して固定されている。
【００１４】
ノック部材４には、径方向外側後方へ向けて本体部４１から縦断面視において隆起した操作片４２が形成されている。一方、軸筒２の後方には窓部２１が筆記芯３と対応して形成されており、操作片４２が窓部２１を介して軸筒２の外側に突出している。
【００１５】
さらに、ノック部材４の両側面には、摺動片４３が突出している。一方、軸筒２の後方には、横断面凹状に、摺動片４３と対応して、軸筒２の軸心方向に軸筒２後端から所定距離連続してノックガイド部２２が形成されている。すなわち、摺動片４３がノックガイド部２２により軸筒２の軸心に沿う方向（換言すれば前後方向）にガイドされる。よって、ノック部材４が軸筒２の軸心に沿う方向にガイドされることとなる。
【００１６】
また、ノック部材４の前方には、後述するコイルバネ５（５ａ，５ｂ）を係止する係止突起４４（図５（ａ），（ｂ）及び図６参照）が側面に突出形成されている。
【００１７】
軸筒２の内部の長手方向略中央後方寄りには、デバイダー６が固設されている。デバイダー６には、筆記芯３に対応して筆記芯３をガイドするガイド孔６１（６１ａ，６１ｂ）が設けられている。そして、ガイド孔６１間（換言すれば、デバイダー６の中心位置）には、円柱状にコイルガイド６２が、後方へ向けて立設している。コイルバネ５は、一端側を前述のノック部材４の係止突起４４に係止される。コイルバネ５の他端側は、ガイド孔６１の後方に形成されるコイルバネ保持孔６１１（６１１ａ，６１１ｂ）に圧入固定され保持されている。
【００１８】
コイルバネ５は、係止突起４４とコイルバネ保持孔６１１間に、中央に筆記芯３を遊嵌し、かつ、弾発状態で設けられている。よって、ノック部材４（及び連設する筆記芯３）は、後方へ付勢されている。
【００１９】
一方で、ノック部材４の操作片４２との対向面には、前方に解除突起４５が突出形成されている。同様に、解除突起４５の後方には被解除突起４６が突出形成されている。さらに、軸筒２のノックガイド部２２の前端には、筆記可能状態においてノック部材４の後端面４７を係止する係止部２２１が形成されている（図２参照）。
【００２０】
なお、軸筒２は、前端を先細状に形成され、ペン先３１（３１ａ，３１ｂ）が出没可能な開口部２３が開口している。
【００２１】
軸筒２の後端には、後方から見て円環状に壁部７が形成されている。壁部７は、材料をエラストマー等の弾性材料により形成される。軸筒２との接合は、２色成形やインサート成形、さらには接着や圧入嵌合等で形成することができる。
【００２２】
多芯筆記具１のノック操作（筆記可能状態と解除状態の切替）は、公知の従来技術によるが、概略説明する。筆記芯３が軸筒２内に没入されている状態（図１の状態、すなわち解除状態）においては、ノック部材４の後端面４７は、壁部７の前方面と当接している。そして、操作片４２を前方に押圧操作することにより、摺動片４３は、ノックガイド部２２上を摺動する。そして、ノックガイド部２２の前端まで達すると、ノックガイド部２２と摺動片４３の係合が解除される。ゆえに、ノック部材４は、軸筒２の径方向内側に落ち込む。このとき、ノック部材４の後端面４７が、ノックガイド部２２の先端側に設けられた係止部２２１に係止され、ペン先３１が開口部２３から突出し、筆記可能状態（図２の状態）となる。
【００２３】
筆記可能状態を解除するには、解除状態にあるノック部材４を押圧する。すると、押圧されたノック部材４の解除突起４５が、筆記可能状態にあるノック部材４の被解除突起４６に当接し、筆記可能状態にあるノック部材４を外方へ押し出す。すると、再度摺動片４３がノックガイド部２２と係合し、コイルバネ５の付勢力により、ノック部材４（筆記芯３）は後端（壁部７）まで移動する。
【００２４】
なお、筆記可能状態におけるノック部材４の軸筒２の径方向内側への落ち込み過ぎ防止のための突起等は図示しないが、別途形成してもよい。
【００２５】
本発明に係る多芯筆記具１の後端に形成される壁部７には、窓部２１に対応して軸筒２の軸心方向にスリット７１が形成されている。ここで、軸筒２の後端面は、平面が存在して壁部７と密着している領域（以下、密着領域Ｔという。）と、窓部２１の径方向の領域（以下、開口領域Ｓという。）とが存在している。壁部７は、密着領域Ｔで前述の２色成形や接着にて密着し固定されている。そして、開口領域Ｓに、前述のスリット７１が形成されている。すなわち、スリット７１は、窓部２１に連設して形成されている。さらに、開口領域Ｓ（図３参照）においては、壁部７は弾性材料により形成されているので、可撓性を有することとなる。ゆえに、スリット７１が後述のように開口した際には、スリット７１と窓部２１とは外方と連通することとなる。
【００２６】
次に、筆記芯３の交換手順を説明する。図１の状態で、まず内蔵されている筆記芯３を取外すには、ノック部材４（操作片４２）を後方へ親指等で押し込む。このとき、ノック部材４の後端面４７は壁部７を押圧する。すると、スリット７１で分断されている開口領域Ｓの壁部７は、外側（後方側）へ観音開き状に撓む。そして、ノック部材４の後方部位がある程度外側（後方側）へ突出したら、指で摘む等して筆記芯３（ノック部材４）を引き抜くことができる。このとき、コイルバネ５の他端側はコイルバネ保持孔６１１に保持されているので、軸筒２内に残されることとなる。
【００２７】
次に、ユーザーの好みの筆記芯３（例えばインク色やボールペン線幅等により適宜選択される）を選択する。軸筒２に設けられたデバイダー６のガイド孔６１に向けて筆記芯３（ペン先３１）を挿入する。すると、縦断面視においてノック部材４の操作片４２と本体部４１とを接続する稜線部４８が、壁部７の外側面に当接する。そして、さらにノック部材４を前方に押し込むと、稜線部４８がスリット７１により分断されている開口領域Ｓにおける壁部７を観音開き状に前方に押し開く。ノック部材４が前方に進むに従って、やがて摺動片４３がノックガイド部２２に挿入されノック部材４がガイドされ始める。ノック部材４の後端面４７が完全にスリット７１から抜け出すと、弾性力を有する壁部７の変形は自然に復元し、スリット７１が閉じられる。
【００２８】
以上の要領でユーザーが好みの筆記芯３を適宜選択して交換・使用できるので、後端を開閉操作して交換作業を行う従来の多芯筆記具に比べてより簡便に筆記芯３の交換作業を行うことができる様になる。さらに、不意に開閉部が開いてしまう等の不具合も無いので、携帯時の安全性を高めることができる。さらには、弾性材料からなる壁部７にノック部材４が解除操作時に当接（衝突）する構造なので、衝撃が吸収され、バックショック等の不具合の発生を防止することができる。
【００２９】
ここで、壁部７は、多芯筆記具１の後方から見て円環状に形成されているが、ゴミ等の混入防止のために円盤状に形成し、筆記芯３の交換時に筆記芯３や解除突起４５や被解除突起４６が通過し易いようにスリットを適宜設けて形成することもできる。
【実施例２】
【００３０】
第１実施例におけるノック部材４の他例（ノック部材４’）を図５及び図６に示す。なお、第１実施例と同部材・同部位については同じ符号を付して同じ名称を用いている。
【００３１】
本実施例においては、操作片４２’から本体部４１’に亘る稜線部４８’の横断面形状を、凸曲面形状としている。これにより、筆記芯３の挿入操作における稜線部４８’の壁部７への当接において、稜線部４８’の当接部への押圧面の面圧を上昇させることができる。よって、第１実施例に比べてより低い押圧力にてスリット７１を押し広げることができるので、挿入作業が容易になる。
【００３２】
一方、第１実施例と同様の後端面４７を有することにより、筆記芯３を多芯筆記具１から取り出す際には挿入操作よりも大きい（第１実施例と同等の）押圧力が必要になる。このような特徴を有する本実施例においては、挿入し易いが取り出し難い筆記芯３（ノック部材４’）を構成することができるので、初回に好みの筆記芯を選択し、後にはほとんど交換する必要が無いようなユーザーに好適な多芯筆記具を提供することができる。
【００３３】
本実施例の変形例としては、稜線部４８’の凸曲面形状を後端面４７’（図示せず）にも設けて、挿入・取り出し操作ともにより低い押圧力で操作可能なノック部材４’’（図示せず）を呈することができる。さらには、後端面のみに凸曲面形状を設けることもできる。さらにまた、稜線部４８’の前後に凸曲面形状を設けるが、その曲率を異ならしめることにより、挿入・取り出しの押圧力に差を設けることもできる。
【実施例３】
【００３４】
第１実施例における壁部７の他例（壁部７’）を図７及び図８に示す。第１実施例と比べて、壁部７’のスリット７１’周辺（開口領域Ｓ）の形状を種々変更した例である。壁部７’の材料や必要な厚み（特にコイルバネ５の弾発力によるノック部材４の後端面４７の押圧力や、筆記芯３交換時の容易さの調整のための壁部７’の厚みの設定）によって、適宜変更することができる。例えば、図７では、窓部２１の径方向の両端（開口領域Ｓの両端）からスリット７１’に向って壁部７’の厚みを直線的に薄くなるように形成している。同様に、図８では、壁部７’の外側面のみを曲面状に形成しつつ薄くしている。図７においては筆記芯３の交換時の押圧力（スリット７１’を開く力）が挿入・取り出しともに低減される。図８においては、筆記芯３の挿入時において押圧力を低減することができる。
【００３５】
これらの例のほか、適宜必要に応じて開口領域Ｓにおける壁部の形状を変更することができる。
【実施例４】
【００３６】
第１実施例における壁部７の他例（壁部７’’）を図９に示す。本実施例においては、壁部７’’を、後端から前方に向けて移動した位置（換言すれば、窓部２１の途中位置）に設けた。壁部７’’の固定方法は、第１実施例と同様に、２色成形や接着、嵌合等種々の方法で構成することができる。また、本実施例においても、開口領域Ｓにおける壁部の形状を種々変更することができる。
【００３７】
本実施例においては、壁部７’’から後方に空間領域を設けることができるので、消しゴムや修正テープ、またはＵＳＢメモリ等他の装置を設けたり、保護キャップを設けたりすることが出来る。また、壁部７’’から軸筒２の後端までの間にもノックガイド部２２を設けることができる。よって、ノック部材４が確実に案内されるので、筆記芯３の挿入・取り出し操作を確実に行うことができる。
【００３８】
以上、本発明の実施例を詳細に説明したが、本発明はこれに限定されることなく、本発明の要旨を変更しない範囲で適宜変更することができる。
【００３９】
例えば、実施例中、軸筒２を一体として形成しているが、上軸、下軸にニ分割又はそれ以上に分割して形成しても良い。また、筆記芯３については、実施例では２本（２種類）内蔵した多芯筆記具１を例としたが、３本（３種類）又はそれ以上の筆記芯により構成しても良い。さらにまた、ノック部材４を筆記芯３に直接接続されているが、他の連結部材（センタリングを行う部材等）を介して接続しても良い。
【符号の説明】
【００４０】
１  多芯筆記具
２  軸筒
２１  窓部
２２  ノックガイド部
２２１  係止部
２３  開口部
３  筆記芯
３１  ペン先
３ａ  ボールペン
３ｂ  シャープペンシル
４  ノック部材
４１  本体部
４２  操作片
４３  摺動片
４４  係止突起
４５  解除突起
４６  被解除突起
４７  後端面
４８  稜線部
５  コイルバネ
６  デバイダー
６１  ガイド孔
６１１  コイルバネ保持孔
６２  コイルガイド
７  壁部
７１  スリット
Ｓ  開口領域
Ｔ  密着領域
【図１】
0005412319.tif 000002
【図２】
0005412319.tif 000003
【図３】
0005412319.tif 000004
【図４】
0005412319.tif 000005
【図５】
0005412319.tif 000006
【図６】
0005412319.tif 000007
【図７】
0005412319.tif 000008
【図８】
0005412319.tif 000009
【図９】
0005412319.tif 000010